(57)【要約】【課題】薄型でコンパクトなバックロードホーンの特徴を損なうことなく、再生可能な音圧を大きくして音響特性を向上させることができるバックロードホーンを提供する。【解決手段】キャビネット１内に二個のスピーカ・ユニットＰと二個のホーン部２Ａ，２Ｂを有するホーン２が配置され、キャビネット１内の二個のスピーカ・ユニットＰに隣接する位置に、ホーン部２Ａ，２Ｂ共用のホーン入口ｈ１が設けられて、このホーン入口ｈ１に各ホーン部２Ａ，２Ｂの第１スロート部ｓ１が接続され、キャビネットの外壁部に設けられたホーン部２Ａ，２Ｂ共用のホーン出口ｈ２に、各ホーン部２Ａ，２Ｂのスロートｓ１〜ｓ７の断面積よりも大きな断面積を有する第８スロート部ｓ８が接続されて、この第８スロート部ｓ８にホーン部２Ａ，２Ｂのそれぞれの第７スロート部ｓ７が接続されている。【選択図】図１
2008278229.tif 000002
【特許請求の範囲】
【請求項１】
キャビネットと、複数のスピーカ・ユニットと、ホーンと、を備え、
前記スピーカ・ユニットがキャビネットと接するように配置され、前記ホーンは、ホーン入口と、ホーン出口と、を有する複数のホーン部と、を備え、
前記複数のスピーカ・ユニットに隣接する位置に、ホーン入口が設けられ、
前記ホーン入口には前記スロートが接続されている
ことを特徴とするバックロードホーン。
【請求項２】
前記ホーンは、共用スロートを備え、
前記共用スロートは、前記スロートと前記ホーン出口との間に配置されていることを特徴とする請求項１に記載のバックロードホーン。
【請求項３】
前記複数のホーン部は、互いに略対称な位置になるように配置されていることを特徴とする請求項１に記載のバックロードホーン。
【請求項４】
前記ホーンは、複数の第１仕切り板及び第２仕切り板を備え、
第１仕切り板と前記第２の仕切り板は互いに対向するように配置されていることを特徴とする請求項１に記載のバックロードホーン。
【請求項５】
前記第１仕切り板と前記第２仕切り板との間に形成される前記スロートの断面積が、前記スピーカ・ユニットの振動板の面積より小さいことを特徴とする請求項４に記載のバックロードホーン。
【請求項６】
前記ホーン部は、前記ホーン入口から前記ホーン出口にかけて、その断面積が大きくなるように形成されていることを特徴とする請求項１に記載のバックロードホーン。
【請求項７】
前記スロートは折り返し部分を備え、
当該折り返し部分における断面積が、折り返し部分以外における前記スロートの断面積と略等しくなっている
ことを特徴とする請求項１に記載のバックロードホーン。
【請求項８】
前記スロートの折り返し部分は、第３仕切り板にて形成されていることを特徴とする請求項７に記載のバックロードホーン。
【請求項９】
前記複数のホーン部の間に、第４仕切り板が配置されていることを特徴とする請求項１に記載のバックロードホーン。
【請求項１０】
前記スピーカ・ユニットの前面側には、反射板が配置されており、
当該反射板は複数の穿孔部を有することを特徴とする請求項１に記載のバックロードホーン。
【請求項１１】
前記第１仕切り板にてホーン入口が形成されていることを特徴とする請求項４に記載のバックロードホーン。
【請求項１２】
前記ホーンは、前記スピーカ・ユニットの後方側に配置されていることを特徴とする請求項１に記載のバックロードホーン。
【請求項１３】
前記スロートは折り畳まれていることを特徴とする請求項１に記載のバックロードホーン。
【発明の詳細な説明】
【技術分野】
【０００１】
この発明は、バックロードホーンの構成に関する。
【背景技術】
【０００２】
一般的に、バックロードホーンは、スピーカ・ユニットの後方側に接続されてスロート部が折り畳まれたホーンをキャビネット内に備えた構造を有している。
このような構造のバックロードホーンは、スピーカ・ユニットの前面側から出力される音波はそのままキャビネットの前方側に放音され、スピーカ・ユニットの背面側から出力される音波は、ホーンの小容積のスロート部を通して、このホーンからキャビネットの前方側や側方側，後方側等の任意の方向に向かって放音されるようになっていて、効率よく音の再生を行うことができるという特徴を備えている（例えば、特許文献１参照）。
【０００３】
このバックロードホーンは、そのキャビネットを薄型でコンパクトな形状にすることができるため、ＴＶ受像機の底部や車両室内等の限定された狭いスペースへの配置が可能である。
【０００４】
しかしながら、従来のバックロードホーンは、ホーンのスロート部が折り畳まれていることによって、音を再生する際に、このスロート部の折り返し部分においてその断面積の変化によって風切り音が発生し易く、特に、再生する音圧が大きくなるほど大きな風切り音が発生してしまうので、音響特性が低下するという問題がある。
【０００５】
また、従来のバックロードホーンの構成では、再生可能とする音圧の上限を大きくする等の出力性能を向上させるために、口径や振幅の大きなスピーカ・ユニットを用いようとすると、その分、キャビネットの外形形状が大きくなって、薄型でコンパクトであるといったバックロードホーンの特徴が損なわれてしまうという問題がある。
【０００６】
【特許文献１】特許第２７８３８３９号公報
【発明の開示】
【発明が解決しようとする課題】
【０００７】
この発明は、上記のような従来のバックロードホーンが有している問題点等を解決することをその技術的課題の一つとしている。
【課題を解決するための手段】
【０００８】
この発明によるバックロードホーンは、上記目的を達成するために、キャビネットと、複数のスピーカ・ユニットと、ホーンと、を備え、
前記スピーカ・ユニットがキャビネットと接するように配置され、前記ホーンは、ホーン入口と、ホーン出口と、スロートを有する複数のホーン部と、を備え、
前記複数のスピーカ・ユニットに隣接する位置に、ホーン入口が設けられ、
前記ホーン入口には前記スロートが接続されていることを特徴としている。
【発明を実施するための最良の形態】
【０００９】
この発明によるバックロードホーンは、キャビネットと、スピーカ・ユニットとホーンとを備え、スピーカ・ユニットがキャビネットと接するように複数個備えられているとともに、ホーンが各スピーカ・ユニットに対応してそれぞれスロートを有する複数個のホーン部を備え、複数個のスピーカ・ユニットに隣接する位置に、各ホーン部共用のホーン入口が設けられて、このホーン入口に各ホーン部のスロートが接続され、キャビネットの外壁部の任意の位置に各ホーン部共用のホーン出口が設けられているバックロードホーンをその最良の実施形態としている。
【００１０】
この実施形態によるバックロードホーンは、その駆動時に、複数個のスピーカ・ユニットの背面側から出力される音波が、ホーン入口から、複数個のホーン部のそれぞれに分散してこれらのホーン部を通ってホーン出口から放音される。
【００１１】
この実施形態のバックロードホーンによれば、スピーカ・ユニットを複数個備えていることによって、スピーカ・ユニットを１個備えたバックロードホーンと同じ音圧を得る場合に、スピーカ・ユニットの一個当たりの振幅や口径を小さくすることが出来、スピーカ・ユニットの薄型化に伴ってバックロードホーンのキャビネットを従来よりもさらに薄型化することが可能になり、また、従来のキャビネットと厚さが同じ場合には、得られる音圧を従来に比べて大きくすることが可能になる。さらに、スピーカ・ユニットを１個備えるバックロードホーンでは、前記スピーカ・ユニットへ作用する音響負荷が大きいのに対し、スピーカ・ユニットを複数備えるバックロードホーンではスピーカ・ユニット１個当たりに作用する音響負荷を低減できる。
【００１２】
そして、複数個のスピーカ・ユニットに対応して、ホーンがキャビネット内に同数のホーン部を備えていることによって、各スピーカ・ユニットに対して作用する音響負荷をほぼ同じ大きさにすることが可能になるので、スピーカ・ユニットの駆動時にスピーカの振動体（振動板、エッジ、ボイスコイル、ボイスコイルボビン等を含む）が斜めに傾きながら振動する所謂ローリング現象等の発生を抑止して、長時間にわたってスピーカ・ユニットを駆動させても、一定の音響特性を維持することができる。
【００１３】
上記実施形態のバックロードホーンにおいて、ホーンは、共用スロートを備え、前記共用スロートは、前記スロートと前記ホーン出口との間に配置されていることが好ましい。
ホーン部毎にホーン出口が設けられるようなバックロードホーンは共用スロートを備え、ホーン出口の断面積が小さくなることによって風切り音が発生し易くなる。それに対し、上記実施形態のバックロードホーンでは、複数個のホーン部をそれぞれ通過した音波が、各ホーン部のスロートの断面積よりも大きな断面積を有する共用スロートにて合流した後にホーン出口から放音され、ホーン出口の断面積を従来とほぼ同じ大きさに設定することができるので、ホーンが複数個のホーン部を備えたことによる風切り音の発生を抑止して音響特性の低下を抑止することができる。
【００１４】
上記実施形態のバックロードホーンにおいて、前記複数のホーン部は、互いに対称な位置になるように配置されていることが好ましい。
このバックロードホーンは、ホーンが、互いに略対称な位置になるように配置される複数のホーン部を備えていることによって、複数のスピーカ・ユニットのそれぞれに対して作用する音響負荷をほぼ同じ大きさにすることが出来、これによって、スピーカ・ユニットの駆動時にローリング現象等が発生するのをさらに抑止することができる。
【００１５】
上記実施形態のバックロードホーンにおいて、前記ホーンは、複数の第１仕切り板及び第２仕切り板を備え、第１仕切り板と前記第２の仕切り板は互いに対向するように配置するのが好ましい。
ホーンが第１仕切り板と第２仕切り板とを複数備えることによって、第１仕切り板と第２仕切り板とが形成するスロートの断面積を調整することができる。
スロートの断面積を調整することで、バックロードホーンの音圧周波数特性を調整することが可能になる。
【００１６】
また、前記実施形態のバックロードホーンにおいて、前記第１仕切り板と前記第２仕切り板との間に形成されるスロートの断面積が、前記スピーカ・ユニットの振動板の面積より小さくすることが好ましい。
一般的に、ホーンスピーカにおいては、振動板の面積とホーンのスロート部の断面積との面積比が大きくなると能率が高くなって再生帯域が広くなると言われており、このバックロードホーンは、第２仕切り板が、各ホーン部のホーン入口に接続されるスロートの断面積をスピーカ・ユニットの振動板の面積に対して所要の面積比となるように狭めて、各ホーン部での空気を圧縮する圧縮板となり、音響再生の能率の向上と再生帯域の拡大を図ることができる。
【００１７】
さらに、前記実施形態のバックロードホーンにおいて、前記スロートは折り返し部分を備え、当該折り返し部分における断面積が、折り返し部分以外における前記スロートの断面積と略等しくなっているのが好ましい。
このバックロードホーンは、折り返し部分を有するスロートを備えており、スロートの折り返し部分の断面積が、折り返し部分以外でのスロートの断面積、特に折り返し部分近傍でのスロートの断面積とほぼ同じにしているので、このスロートの折り返し部分において、その断面積が急激に変化することが無く、断面積の急激な変化による風切り音の発生が抑止される。
【００１８】
さらに、前記実施形態のバックロードホーンにおいて、互いに略対称な位置に配置されるホーン部の間に、第４仕切り板を配置することが好ましい。
このバックロードホーンは、各ホーン部を通ってきた音波間で、互いに微妙な位相のずれが生じる場合でも、第４仕切り板を配置することで位相のずれがほとんどない状態で、前記の音波を合流させることができる。また、第４仕切り板の端部の位置を任意に設定して、各ホーン部をそれぞれ通ってきた音波の合流位置を互いに位相のずれがない状態で合流させることが可能になる。
【００１９】
さらに、前記実施形態のバックロードホーンにおいて、前記スピーカ・ユニットの前面側には、反射板が配置されており、当該反射板は複数の穿孔部を有することが好ましい。
このバックロードホーンは、スピーカ・ユニットの前面側から出力される音波が、反射板の穿孔部を通ってこのバックロードホーンＨの前方側に放音されるが、このとき、各スピーカ・ユニットから出力される音波の一部が、反射板５の穿孔部以外の部分によってスピーカ・ユニット側に反射されて、各スピーカ・ユニットの振動板に対して所謂音響抵抗が作用する。
【００２０】
この音響抵抗によって、各スピーカ・ユニットの振動板が所定の振幅よりも大きな振幅で振動するのが抑止されて、スピーカ・ユニットが所望の音響特性を発揮できるようになる。
【実施例】
【００２１】
図１は、この発明によるバックロードホーンの実施形態における一実施例を示す正面図であり、図２は側面図，図３はフロント・パネルを取り外した状態の内部構造を示す斜視図である。
【００２２】
図１ないし３において、バックロードホーンＨのキャビネット１は、正面形状が長方形で奥行きが縦および横の長さに対して小さい薄型の箱形状を有している。
【００２３】
なお、以下においては、キャビネット１の正面形状の短手方向を縦方向とし、長手方向を横方向として説明を行う。
【００２４】
このバックロードホーンＨのキャビネット１内には、図１において左側の側部部分に、二個のスピーカ・ユニットＰが、キャビネット１の長手方向と平行な中心線ｃを挟んだ対称位置に縦方向に並べて配置されており、それぞれ前面をキャビネット１の正面側（紙面の手前側）に向けた状態で、キャビネット１の背面板に取り付けられている。
【００２５】
このキャビネット１内のスピーカ・ユニットＰの配置位置よりも図１において右方側に、ホーン２が形成されている。
このホーン２は、中心線ｃを挟んで対称構造となるように構成された第１ホーン部２Ａと第２ホーン部２Ｂの二つのホーン部を備えている。
【００２６】
このホーン２は、以下のような各種仕切り板によって形成されている。
【００２７】
すなわち、キャビネット１内において、二個のスピーカ・ユニットＰの図１において右側方位置に、縦向きに延びる二枚の第１縦仕切り板３Ａが、それぞれスピーカ・ユニットＰに対して所要の間隔を空けて対向するとともに、互いに中心線ｃを挟んで対称な位置になるように、縦方向に直列に並べて配置されている。
【００２８】
この二枚の第１縦仕切り板３Ａのそれぞれの内端部は、互いに中心線ｃを挟んで縦方向に所要の間隔を空けて対向するように配置されており、この二枚の第１縦仕切り板３Ａの内端部の間に形成される開口部がホーン入口ｈ１を構成している。
【００２９】
各第１縦仕切り板３Ａの外端部は、それぞれ、キャビネット１の横方向の側壁１Ａに対して所要の間隔を空けて位置されている。
そして、各第１縦仕切り板３Ａの外端部とキャビネット１の側壁１Ａとの間に、二枚の第１斜向仕切り板３Ｂが配置されている。二枚の第１斜向仕切り板３Ｂはそれぞれ、第１縦仕切り板３Ａの外端部から縦方向に対して所要の角度（例えば４５°）だけスピーカ・ユニットＰと反対側（図１において右側）に傾斜する向きに、その両端部が第１縦仕切り板３Ａの外端部とキャビネット１の側壁１Ａに連結された状態で、かつ、互いに中心線ｃを挟んだ対称な位置になるように配置されている。
【００３０】
二枚の第１縦仕切り板３Ａに対してスピーカ・ユニットＰと反対側位置（図１の右側）に、一枚の第２縦仕切り板３Ｃが、第１縦仕切り板３Ａに対して所要の間隔を空けて平行方向（縦方向）に延びるとともに、両端部が、それぞれ対向している第１縦仕切り板３Ａの外端部よりも中心線ｃ寄りに、この中心線ｃを挟んで対称な位置になるように配置されている。
【００３１】
この第２縦仕切り板３Ｃよりもスピーカ・ユニットＰに対して反対側（図１において右側）の互いに中心線ｃを挟んだ対称位置に位置するように、二枚の第１横仕切り板３Ｄが配置されている。
【００３２】
この第１横仕切り板３Ｄは、それぞれ、キャビネット１の側壁１Ａの第１斜向仕切り板３Ｂが連結されている位置よりもスピーカ・ユニットＰと反対側に対向して配置されており、それぞれ側壁１Ａに対して、スピーカ・ユニットＰ側の端部がキャビネット１の側壁１Ａに対して所要の間隔を空けた位置に位置されているとともに、スピーカ・ユニットＰから離れる方向（図１の右方向）に行くに従って、側壁１Ａに対して間隔が少しずつ拡がるように、僅かに内側に傾斜する向きに延びている。
【００３３】
この各第１横仕切り板３Ｄのスピーカ・ユニットＰ側の端部（図１において左側の端部）と第２縦仕切り板３Ｃの端部との間に、互いに中心線ｃを挟んで略対称な位置になるように二枚の第２斜向仕切り板３Ｅがそれぞれ配置されている。
【００３４】
この各第２斜向仕切り板３Ｅは、それぞれ、対向している第１斜向仕切り板３Ｂに対して所要の間隔を空けて平行な方向（縦方向に対して所要の角度だけスピーカ・ユニットＰと反対側に傾斜する方向）に延びており、両端部が第１横仕切り板３Ｄと第２縦仕切り板３Ｃのそれぞれの端部に連結されている。
【００３５】
各第１横仕切り板３Ｄのスピーカ・ユニットＰ側と反対側の端部（図１において右側端部）３Ｄａに対して横方向に所要の間隔を空けて対向する位置に、互いに中心線ｃを挟んで略対称な位置になるように二枚の第３縦仕切り板３Ｆが配置されている。
【００３６】
この各第３縦仕切り板３Ｆは、それぞれ、縦方向に延びていて、外端部がキャビネット１の側壁１Ａのスピーカ・ユニットＰと反対側の端部（図１において右側の端部）に連結され、その内端部が互いに中心線ｃを挟んで縦方向に所要の間隔を空けて対向するように位置付けられて、この二枚の第３縦仕切り板３Ｆの内端部の間に形成される開口部によって、ホーン出口ｈ２が構成されている。
【００３７】
二枚の第１横仕切り板３Ｄの内側に、互いに中心線ｃを挟んで略対称な位置になるように二枚の第２横仕切り板３Ｇが配置されている。
この二枚の第２横仕切り板３Ｇは、それぞれ、スピーカ・ユニットＰと反対側の端部（図１において右側端部）が、第１横仕切り板３Ｄの右側端部との間に縦方向に所要の間隔を空けて位置付けられており、さらに、この二枚の第２横仕切り板３Ｇは、スピーカ・ユニットＰ側の方向（図１の左方向）に行くに従って、第１横仕切り板３Ｄに対して間隔が徐々に拡がるとともに、互いの間の間隔がスピーカ・ユニットＰ側からホーン出口ｈ２に向かって徐々に拡がるように、僅かに内側に傾斜する向きに延びている。
【００３８】
そして、各第２横仕切り板３Ｇのスピーカ・ユニットＰ側の端部（図１において左側端部）３Ｇａは、それぞれ、対向する第２縦仕切り板３Ｃに対して所要の間隔を空けて位置付けられている。
【００３９】
この各第２横仕切り板３Ｇのスピーカ・ユニットＰと反対側の端部（図１において右側の端部）と第３縦仕切り板３Ｆの内端部との間に、それぞれ、互いに中心線ｃを挟んで略対称な位置になるように二枚の第３斜向仕切り板３Ｈが配置されている。
【００４０】
この各第３斜向仕切り板３Ｈは、それぞれ、第３縦仕切り板３Ｆの内端部から縦方向に対して所要の角度（例えば４５°）だけスピーカ・ユニットＰ側（図１において左側）に傾斜する向きに延びており、両端部が第３縦仕切り板３Ｆと第２横仕切り板３Ｇのそれぞれの端部に連結されている。
【００４１】
この二枚の第２横仕切り板３Ｇの間には、中心線ｃ上に位置するとともに中心線ｃに沿って延びる一枚の第３横仕切り板３Ｉが配置されている。
そして、この第３横仕切り板３Ｉは、スピーカ・ユニットＰ側の端部（図１において左側の端部）が第２縦仕切り板３Ｃの中央位置に連結され、スピーカ・ユニットＰと反対側の端部（図１において右側の端部）３Ｉａが、ホーン出口ｈ２から中心線ｃに沿って、キャビネット内に位置付けられている。
【００４２】
このホーン部２は、中心線ｃを挟んで図１において上方側が第１ホーン部２Ａを構成し、下方側が第２ホーン部２Ｂを構成しており、ホーン出口ｈ２を第１ホーン部２Ａと第２ホーン部２Ｂが共用している。
【００４３】
この第１ホーン部２Ａと第２ホーン部２Ｂには、何れも、第１縦仕切り板３Ａと第２縦仕切り板３Ｃの間に、この第１縦仕切り板３Ａと第２縦仕切り板３Ｃとの間の間隔の設定によって、スピーカ・ユニットＰの振動板の面積よりも小さい断面積を有する第１スロート部ｓ１が形成されている。
【００４４】
さらに、第１斜向仕切り板３Ｂと第２斜向仕切り板３Ｅとの間には、第１スロート部ｓ１に連通する第２スロート部ｓ２が形成され、この第２スロート部ｓ２の断面積が、第１斜向仕切り板３Ｂと第２斜向仕切り板３Ｅとの間の間隔の設定によって、第１スロート部ｓ１とほぼ同じ大きさになるように設定されている。
【００４５】
第１横仕切り板３Ｄとキャビネット１の側壁１Ａとの間には、第２スロート部ｓ２に連通する第３スロート部ｓ３が形成され、この第３スロート部ｓ３の断面積が、第１横仕切り板３Ｄと側壁１Ａとの間の間隔の設定によって、スピーカ・ユニットＰ側の端部（図１において左側端部）において第２スロート部ｓ２の断面積とほぼ同じ大きさになるように設定され、スピーカ・ユニットＰと反対側（図１において左方側）に行くに従って徐々に大きくなるように設定されている。
【００４６】
第１横仕切り板３Ｄの端部３Ｄａと第３縦仕切り板３Ｆおよび第３斜向仕切り板３Ｈとの間には、第３スロート部ｓ３に連通する第４スロート部ｓ４が形成され、この第１横仕切り板３Ｄの端部３Ｄａと第３縦仕切り板３Ｆおよび第３斜向仕切り板３Ｈとの間の間隔の設定によって、第４スロート部ｓ４の軸線に沿った各位置における断面積が第３スロート部ｓ３のスピーカ・ユニットＰと反対側の端部部分における断面積に対して大きく変動しないように設定されている。
【００４７】
第２横仕切り板３Ｇと第１横仕切り板３Ｄとの間には、第４スロート部ｓ４に連通する第５スロート部ｓ５が形成され、この第５スロート部ｓ５の断面積が、第２横仕切り板３Ｇと第１横仕切り板３Ｄとの間の間隔の設定によって、スピーカ・ユニットＰと反対側の端部（図１において右側端部）付近では、第４スロート部ｓ４の断面積とほぼ同じ大きさで、スピーカ・ユニットＰ側（図１において左方側）に行くに従って徐々に大きくなるように設定されている。
【００４８】
第２横仕切り板３Ｇのスピーカ・ユニットＰ側の端部３Ｇａと第２斜向仕切り板３Ｅおよび第２縦仕切り板３Ｃとの間には、第５スロート部ｓ５に連通する第６スロート部ｓ６が形成され、この第２横仕切り板３Ｇの端部３Ｇａと第２斜向仕切り板３Ｅおよび第２縦仕切り板３Ｃとの間の間隔の設定によって、第６スロート部ｓ６の軸線に沿った各位置における断面積が第５スロート部ｓ５のスピーカ・ユニットＰ側の端部における断面積に対して大きく変動しないように設定されている。
【００４９】
第３横仕切り板３Ｉと第２横仕切り板３Ｇとの間には、第６スロート部ｓ６に連通する第７スロート部ｓ７が形成され、この第７スロート部ｓ７の断面積が、第３横仕切り板３Ｉと第２横仕切り板３Ｇとの間の間隔の設定によって、スピーカ・ユニットＰ側の端部（図１において左側端部）において第６スロート部ｓ６の断面積とほぼ同じ大きさで、スピーカ・ユニットＰと反対側（図１において右方側）に行くに従って徐々に大きくなるように設定されている。
【００５０】
そして、第３横仕切り板３Ｉのスピーカ・ユニットＰと反対側の端部３Ｉａとホーン出口ｈ２との間に、第１ホーン部２Ａ側と第２ホーン部２Ｂ側の第７スロート部ｓ７の双方に連通され、第１ホーン部２Ａと第２ホーン部２Ｂに共用される第８スロート部ｓ８が形成され、この第８スロート部ｓ８の断面積が、第１ホーン部２Ａ側と第２ホーン部２Ｂ側の二枚の第２横仕切り板３Ｇ間の間隔の設定によって、スピーカ・ユニットＰ側の端部（図１において左側端部）において第７スロート部ｓ７の断面積のほぼ二倍の同じ大きさで、ホーン出口ｈ２の方向（図１において右方向）に行くに従って徐々に大きくなるように設定されている。
【００５１】
キャビネット１の左側（図１において）にアンプリファイア４が取り付けられ、さらに、このキャビネット１の左側壁部１Ｃに、図示しない電源および信号入力端子等の外部接続端子が配置されている。
【００５２】
キャビネット１のホーン部２が構成されている部分の前面は、キャビネット１に固定されたフロント・パネル１Ｂが、ホーン入口ｈ１およびホーン出口ｈ２以外からの音漏れが無いように、カバーされている。
【００５３】
そして、キャビネット１のスピーカ・ユニットＰが取り付けられている部分の前面には、全面に亘って多数の穿孔５ａが形成された反射板５が取り付けられて、二つのスピーカ・ユニットＰがカバーされている。
【００５４】
この反射板５の穿孔５ａは、その合計面積を反射板５の全面積で除算した値（比率）が所望の音響抵抗がスピーカ・ユニットの振動板へ作用するように、その数および一個当たりの開口面積が設定されている。
【００５５】
上記構成のバックロードホーンＨは、二個のスピーカ・ユニットＰの前面側から出力される音波が、反射板５の穿孔５ａを通ってこのバックロードホーンＨの前方側に放音される。
【００５６】
このとき、各スピーカ・ユニットＰから出力される音波の一部が、反射板５の穿孔５ａが形成されている部分以外の部分によってスピーカ・ユニットＰ側に反射されて、所謂音響抵抗として、各スピーカ・ユニットＰの振動板に対して負荷を作用させる。
【００５７】
このバックロードホーンＨは、この音響抵抗によって、各スピーカ・ユニットＰの振動板が所定の振幅よりも大きな振幅で振動するのが抑止されるので、反射板５の穿孔５ａによる開効率が所要の値に設定されることによって、所望の音響特性を発揮することができるようになる。
【００５８】
二個のスピーカ・ユニットＰの背面側から出力される音波は、ホーン２のホーン入口ｈ１から、それぞれ中心線ｃを挟んで略対称となるように配置された第１ホーン部２Ａと第２ホーン部２Ｂに分かれてこれらのホーン部を通過した後、ホーン出口ｈ２の手前に設けられた第８スロート部ｓ８において合流し、この第８スロート部ｓ８を通ってキャビネット１の側面に形成されたホーン出口ｈ２から放音される。
【００５９】
このように、このバックロードホーンＨは、スピーカ・ユニットＰを二個備えていることによって、スピーカ・ユニットを１個備えたバックロードホーンと同じ音圧を得る場合に、スピーカ・ユニットＰの一個当たりの振幅や口径を小さくすることが出来、スピーカ・ユニットＰの薄型化に伴ってバックロードホーンＨのキャビネット１を従来よりもさらに薄型化することが出来、また、従来のキャビネットと厚さが同じ場合には、得られる音圧を従来に比べて大きくすることができる。
【００６０】
そして、このバックロードホーンＨは、中心線ｃを挟んで略対称な位置になるように配置された二個のスピーカ・ユニットＰに対応して、ホーン２が、キャビネット１内に中心線ｃを挟んだ対称構造を有する第１ホーン部２Ａと第２ホーン部２Ｂの二系統のホーン部を備えていることによって、各スピーカ・ユニットＰに対して同じ音響負荷が作用するようになるので、スピーカ・ユニットＰの駆動時にスピーカの振動部分が斜めに傾きながら振動する所謂ローリング現象等が発生するのが抑止されて、ローリング現象によってスピーカ・ユニットＰのボイスコイルと磁気ギャップが接触して異音が発生する等により音響特性が低下することを抑止できる。
【００６１】
これに対して、例えば図４に示される場合のように、二個のスピーカ・ユニットＰに対してキャビネット１０内に一系統のホーン部１２しか備えていない場合には、各スピーカ・ユニットＰとホーン部１２の構造との対応が上記バックロードホーンＨの場合のように対称的な位置関係にはならないために、各スピーカ・ユニットＰに対する音響負荷が異なって、音響特性が、スピーカ・ユニットＰの駆動時に発生するローリング現象による異音の発生等によって低下する虜がある。
【００６２】
上記バックロードホーンＨは、ホーン２に備えられた二系統の第１ホーン部２Ａと第２ホーン部２Ｂがホーン出口ｈ２の手前側に位置する第８スロート部ｓ８を共用しているので、ホーン出口部分のスロート部が各スピーカ・ユニットＰ毎に独立して別個に設けられる場合には各スロート部の断面積が小さくなって風切り音が発生し易くなるのに対して、第８スロート部ｓ８の断面積を従来とほぼ同じ大きさに設定することができるようになり、二系統のホーン部を備えたことによる風切り音の発生を抑制して、音響特性の低下を抑止することができる。
【００６３】
ここで、二系統の第１ホーン部２Ａと第２ホーン部２Ｂをそれぞれ通ってきた音波を、ホーン出口ｈ２の手前側のどの位置において合流させるかが、音圧周波数特性には現れない聴感上の差異ではあるが、音響特性に影響することが分かっている。
【００６４】
これは、ホーン２の第１ホーン部２Ａと第２ホーン部２Ｂが対称構造となるように構成されていても、音波がそれぞれのスロート部を通過する間に、微妙に位相がずれてしまう為であると考えられる。
【００６５】
このため、バックロードホーンＨにおいては、二枚の第２横仕切り板３Ｇの間に第３横仕切り板３Ｉを配置し、この第３横仕切り板３Ｉの端部３Ｉａの位置を所要の位置に設定することによって、それぞれ第１ホーン部２Ａと第２ホーン部２Ｂを通ってきた音波が、互いに位相のずれがない状態で合流されるようになっている。
【００６６】
バックロードホーンＨのホーン２の第２縦仕切り板３Ｃは、出力される音圧の向上と風切り音の低減のための圧縮板となっている。
すなわち、一般的に、ホーンスピーカにおいては、振動板の面積とスロート部の断面積とのいわゆる「絞り比」と呼ばれる面積比（振動板の面積/スロート部の断面積）が大きくなると、能率が高くなって再生帯域が広くなると言われている。
【００６７】
バックロードホーンＨでは、第２縦仕切り板３Ｃと各第１縦仕切り板３Ａとの間に形成される第１スロート部ｓ１の断面積が、第２縦仕切り板３Ｃによって、スピーカ・ユニットＰの振動板の面積に対して所要の絞り比となるように狭められている。
【００６８】
これによって、バックロードホーンＨは、ホーン入口ｈ１から入力し第１ホーン部２Ａと第２ホーン部２Ｂ側に分離される音波が、それぞれ第１スロート部ｓ１において第２縦仕切り板３Ｃによって圧縮されるので、前述したような能率の向上と再生帯域の拡大により、音響特性を向上できる。
【００６９】
この第１スロート部ｓ１において圧縮された音波は、第１スロート部ｓ１とほぼ同じ断面積を有する第２スロート部ｓ２を通って、第３スロート部ｓ３−第４スロート部ｓ４−第５スロート部ｓ５−第６スロート部ｓ６−第７スロート部ｓ７の順に通過し、第８スロート部ｓ８において、第１ホーン部２Ａと第２ホーン部２Ｂをそれぞれ通過した音波が合流して、ホーン出口ｈ２から放音される。
【００７０】
このとき、第３スロート部ｓ３および第５スロート部ｓ５，第６スロート部ｓ６，第７スロート部ｓ７は、それぞれ断面積が下流側に行くほど徐々に大きくなっていることにより、急激な断面積の変化によって風切り音が発生するのを抑止できる。
さらに、第３斜向仕切り板３Ｈによって、第４スロート部ｓ４が、第３スロート部ｓ３と第５スロート部ｓ５に対して断面積の変化が最小限になるように接続されており、さらに、第２斜向仕切り板３Ｅによって、第６スロート部ｓ６が、第５スロート部ｓ５と第７スロート部ｓ７に対して断面積の変化が最小限になるように接続されているので、それぞれホーンのスロート部の折り返し部分において風切り音が発生するのが抑止される。
【００７１】
上記実施例のバックロードホーンは、  キャビネットと、スピーカ・ユニットとホーンとを備え、スピーカ・ユニットがキャビネットと接するように複数個備えられているとともに、ホーンが各スピーカ・ユニットに対応してそれぞれスロートを有する複数個のホーン部を備え、複数個のスピーカ・ユニットに隣接する位置に、各ホーン部共用のホーン入口が設けられて、このホーン入口に各ホーン部のスロートが接続され、キャビネットの外壁部の任意の位置に各ホーン部共用のホーン出口が設けられている実施形態のバックロードホーンを、その上位概念の実施形態としている。
【００７２】
この上位概念を構成する実施形態のバックロードホーンは、その駆動時に、複数のスピーカ・ユニットの背面側から出力される音波が、ホーン入口から、複数のホーン部のそれぞれに分散してこれらのホーン部を通過した後、ホーン出口から放音される。
【００７３】
この実施形態のバックロードホーンによれば、スピーカ・ユニットを複数個備えていることによって、スピーカ・ユニットを１個備えたバックロードホーンと同じ音圧を得る場合に、スピーカ・ユニットの一個当たりの振幅や口径を小さくすることが出来、スピーカ・ユニットの薄型化に伴ってバックロードホーンのキャビネットを従来よりもさらに薄型化することが可能になり、また、従来のキャビネットと厚さが同じ場合には、得られる音圧を従来のバックロードホーンに比べて大きくすることが可能になる。
【００７４】
また、ホーン入口に接続されるスロートとホーン出口の間に、共用スロートを設けることで、ホーン出口の断面積を従来のバックロードホーンとほぼ同じ大きさに設定することができるので、ホーンが複数個のホーン部を備えたことによる風切り音の発生を抑止でき、音響特性の低下を抑止することができる。
【００７５】
そして、複数個のスピーカ・ユニットに対応して、ホーンがキャビネット内に同数のホーン部を備えていることによって、各スピーカ・ユニットに作用する音響負荷をほぼ同じ大きさにすることが可能になるので、スピーカ・ユニットの駆動時にスピーカの振動体（振動板、エッジ、ボイスコイル、ボイスコイルボビン等を含む）が斜めに傾きながら振動する所謂ローリング現象等の発生を抑止して、音響特性の低下を抑止することができる。
【００７６】
さらに、分散されて複数個のホーン部をそれぞれ通過した音波が各ホーン部のスロートの断面積よりも大きな断面積を有する共用スロートにて合流した後に、ホーン出口から放音される。そのため、ホーン部毎にホーン出口が設けられているバックロードホーンの場合には、ホーン出口の断面積が小さくなることによって風切り音が発生し易くなるのに対し、上述した実施形態では、ホーン出口の断面積を従来とほぼ同じ大きさに設定することができるので、ホーンが複数個のホーン部を備えたことによる風切り音の発生を抑制して音響特性の低下を抑止することができる。
【図面の簡単な説明】
【００７７】
【図１】この発明の実施形態における一実施例を示す正面図である。
【図２】同実施例の側面図である。
【図３】同実施例の内部構造を示す斜視図である。
【図４】この発明の効果を説明するための比較図である。
【符号の説明】
【００７８】
１      …キャビネット
１Ａ    …側壁
２      …ホーン
２Ａ    …第１ホーン部（ホーン部）
２Ｂ    …第２ホーン部（ホーン部）
３Ａ    …第１縦仕切り板（第１仕切り板）
３Ｂ    …第１斜向仕切り板（第３仕切り板）
３Ｃ    …第２縦仕切り板（第２仕切り板）
３Ｄ    …第１横仕切り板
３Ｅ    …第２斜向仕切り板（第３仕切り板）
３Ｆ    …第３縦仕切り板
３Ｇ    …第２横仕切り板
３Ｈ    …第３斜向仕切り板（第３仕切り板）
３Ｉ    …第３横仕切り板（第４仕切り板）
３Ｉａ  …端部
５      …反射板
５ａ    …穿孔（穿孔部）
Ｈ      …バックロードホーン
Ｐ      …スピーカ・ユニット
ｈ１    …ホーン入口
ｈ２    …ホーン出口
ｓ１    …第１スロート部（直線部分）
ｓ２    …第２スロート部（折り返し部分）
ｓ３    …第３スロート部（直線部分）
ｓ４    …第４スロート部（折り返し部分）
ｓ５    …第５スロート部（直線部分）
ｓ６    …第６スロート部（折り返し部分）
ｓ７    …第７スロート部（直線部分）
ｓ８    …第８スロート部（共用スロート）
【図１】
2008278229.tif 000003
【図２】
2008278229.tif 000004
【図３】
2008278229.tif 000005
【図４】
2008278229.tif 000006